(57)【要約】      （修正有）【課題】二つのスライドレールがボールユニットにより相対移動する時、シャーシの側面の取付部材が、取付誤差を許容することにより、ボールユニットの側部の一端にぶつかるのを防ぐスライドレールキットを提供する。【解決手段】シャーシ１２の側面１４をラックに取り付けるのに用いられ、シャーシ１２の側面１４には取付部材１８が配置されている。第一レール２０、第二レール２２、及びボールユニットを有する。第二レール２２の側壁には取付部４２が設けられ、取付部４２はシャーシ１２の側面１４の取付部材１８を取り付けるのに用いられる。ボールユニットは、移動可能に第一レール２０と第二レール２２の間に取り付けられており、第一レール２０と第二レール２２は相対にスライド移動する。ボール保持器は、側部４８を有し、側部４８は第一レール２０の側壁３２と第二レール２２の側壁の間に位置する。【選択図】図６
0003191407.tif 000002
【実用新案登録請求の範囲】
【請求項１】
側面に少なくとも一つの取付部材が設けられているシャーシをラックに取り付けるのに用いられるスライドレールキットであって、
第一レール、第二レール、及びボールユニットを備え、
前記第一レールは、上壁、当該上壁に対応する下壁、及び当該上壁と当該下壁とを連結する側壁を有し、当該上壁、当該下壁、及び当該側壁により縦方向通路が形成されており、
前記第二レールは、スライド可能に前記第一レールの前記縦方向通路に設けられており、上壁、当該上壁に対応する下壁、及び当該上壁と当該下壁とを連結する側壁を有し、当該側壁に少なくとも一つの取付部が設けられており、前記取付部が前記シャーシの前記側面の前記取付部材を取り付けるのに用いられ、
前記ボールユニットは、前記第一レールの側壁と前記第二レールの側壁との間の隙間に位置する側部が設けられているボール保持器及び前記ボール保持器に配置されている複数のボールを有し、移動可能に前記第一レールと前記第二レールとの間に設けられており、
前記第二レールの側壁は、凸出部をさらに有し、
前記凸出部が前記ボール保持器の側部を押圧することで、前記ボール保持器の側部は、前記第一レールの側壁に接近することを特徴とするスライドレールキット。
【請求項２】
前記第二レールの側壁の前記凸出部は、斜面及び支持面を有し、
前記第二レールが前記第一レールに対応して縦方向に引っ張り出されて移動する時、前記斜面が前記ボール保持器の側部をガイドし、前記支持面が前記ボール保持器の側部を押圧することを特徴とする請求項１に記載のスライドレールキット。
【請求項３】
前記取付部材は、第一端部と、前記第一端部に対応する第二端部とを有し、
前記第一端部は、前記シャーシの前記側面に設けられており、
前記第二端部は、前記第二レールの側壁の前記取付部に取り付け可能であり、
前記第二端部が前記第二レールの側壁の前記取付部に取り付けられている時、前記第二端部が前記第二レールの側壁と前記第一レールの側壁との間に位置し、前記第二レールの側壁の壁面と前記取付部材の前記第二端部の表面との間に第一距離が形成されており、前記第二レールの側壁の壁面と前記凸出部の前記支持面との間に第二距離が形成されており、前記第二距離が前記第一距離より長く形成されており、前記支持面が前記ボール保持器の側部を押圧することを特徴とする請求項１に記載のスライドレールキット。
【請求項４】
第三レールをさらに備え、
前記第三レールは、上壁、当該上壁に対応する下壁、及び当該上壁と当該下壁とを連結する側壁を有し、当該上壁、当該下壁、及び当該側壁により縦方向通路が形成されており、
前記第一レールは、前記第三レールの縦方向通路にスライド可能に設けられていることを特徴とする請求項１に記載のスライドレールキット。
【請求項５】
第一レール、第二レール、及びボールユニットを備え、
前記第一レールは、上壁、当該上壁に対応する下壁、及び当該上壁と当該下壁とを連結する側壁を有し、当該上壁、当該下壁、及び当該側壁により縦方向通路が形成されており、
前記第二レールは、スライド可能に前記第一レールの縦方向通路に設けられており、上壁、当該上壁に対応する下壁、及び当該上壁と当該下壁とを連結する側壁を有し、当該側壁に取付部が設けられており、
前記ボールユニットは、前記第一レールの側壁と前記第二レールの側壁との間の隙間に位置する側部が設けられているボール保持器及び前記ボール保持器に配置されている複数のボールを有し、移動可能に前記第一レールと前記第二レールとの間に取り付けられており、
前記第二レールの側壁は凸出部をさらに有し、
前記凸出部が前記ボール保持器の側部を押圧することで、前記ボール保持器の側部は、前記第一レールの側壁に接近することを特徴とするスライドレールキット。
【請求項６】
前記第二レールの側壁の凸出部には、斜面及び支持面を有し、
前記第二レールが前記第一レールに対応して縦方向に引っ張り出されて移動する時、前記斜面が前記ボール保持器の側部をガイドし、前記支持面が前記ボール保持器の側部を押圧することを特徴とする請求項５に記載のスライドレールキット。
【請求項７】
第三レールをさらに備え、
前記第三レールは、上壁、当該上壁に対応する下壁、及び当該上壁と当該下壁とを連結する側壁を有し、当該上壁、当該下壁、及び当該側壁により縦方向通路が形成されており、
前記第一レールは、前記第三レールの縦方向通路にスライド可能に設けられていることを特徴とする請求項５に記載のスライドレールキット。
【請求項８】
少なくとも一つの取付部材が設けられているシャーシをラックに取り付けるのに用いられるスライドレールキットであって、
縦方向の延伸本体を有する第一レール、縦方向の延伸本体を有しスライド可能に前記第一レールの縦方向の延伸本体に設けられている第二レール、及びボールユニットを備え、
前記ボールユニットは、前記第一レールの縦方向の延伸本体と前記第二レールの縦方向の延伸本体との間の隙間に位置する側部が設けられているボール保持器及び前記ボール保持器に配置されている複数のボールを有し、移動可能に前記第一レールと前記第二レールとの間に設けられており、
前記第二レールの縦方向の延伸本体は、凸出部をさらに有し、
前記凸出部が前記ボール保持器の側部を押圧することで、前記ボール保持器の側部は、前記第一レールの縦方向の延伸本体に接近し、
前記取付部材は、第一端部と、前記第一端部に対応する第二端部とを有し、
前記第一端部は、前記シャーシの側面に設けられており、
前記第二端部は、前記第二レールの縦方向の延伸本体に横向きに取り付け可能であり、
前記第二端部が前記第二レールの縦方向の延伸本体に横向きに取り付けられている時、前記第二端部が前記第二レールの縦方向の延伸本体と前記第一レールの縦方向の延伸本体との間に位置し、前記第二レールの縦方向の延伸本体の壁面と前記取付部材の前記第二端部の表面との間に横方向の第一距離が形成されており、前記第二レールの縦方向の延伸本体の壁面と前記凸出部の支持面との間に横方向の第二距離が形成されており、前記第二距離は前記第一距離より長く形成されていることを特徴とするスライドレールキット。
【考案の詳細な説明】
【技術分野】
【０００１】
本考案はスライドレールキットに関する。
【背景技術】
【０００２】
ネットワークの発達及び携帯情報端末の普及に伴い、電子情報やデータの保存が非常に重要になってきている。そのうち、サーバはこれら電子情報やデータの大量保存に用いられ、データ保存のニーズを満たしている。一般には、サーバ（例えばラック式サーバ）をシャーシ（ｃｈａｓｓｉｓ）に取り付け、シャーシ（ｃｈａｓｓｉｓ）をスライドレールキット（両節式スライドレールまたは三段階式スライドレールよりこうせいされる）によりラック（ｒａｃｋ）に架設することで、サーバをラックに取り付ける作業が完了する。
【０００３】
現有する技術では、スライドレールキットの各スライドレールの間にボール保持器及びボール保持器上に取り付けた複数のスチールボールを用いたものがある。一つのスライドレールと別のスライドレール間に位置するこれらのボールによってスライドレールが相対移動する。例えば、特許文献１及び特許文献２には、ボール保持器及びボールを備えたスライドレールキットが開示されている。本考案では、先行技術を参考として本文に付け加える。
【０００４】
スライドレールキットにボール保持器及びボールが設けられている技術において、サーバのシャーシの側面には、特許文献１の図３及び図９のねじ６２のような取付部材を用いることにより、スライドレールキットのスライドレール（例えば内レール）に取り付けてそれらを定位することができる。この様な状況の下、取付部材のサイズと規格は、スライドレールキットの元々の設計の取付誤差許容範囲に符合しなければならない。そうでない場合、各スライドレールが対応して移動する時、サーバのシャーシの側面に設けた取付部材がスライドレールの間のボール保持器の端部にぶつかり、ボール保持器が変形し、スライドレールキットのスライドレールのスムーズなスライド移動が不可能になる。
【０００５】
または、図８に示すとおり、シャーシ（未図示）は少なくとも一つの取付部材１０１によってスライドレールキット１０２に取り付けられている。スライドレールキット１０２は、二つのスライドレール（例えば、第一レール１０３と第二レール１０４）、及び第一レール１０３と第二レール１０４間に位置するボール保持器１０５を有する。ボール保持器１０５上には複数のボール１０６が配置されており、ボール１０６により、第一レール１０３と第二レール１０４とが対応してスライド移動する。具体的には、シャーシは、少なくとも一つの取付部材１０１により第二レール１０４に取り付けられているため、第二レール１０４が縦方向に第一レール１０３に対応してスライド移動する時、シャーシは少なくとも一つの取付部材１０１の働きにより、第二レール１０４の縦方向に沿い第一レール１０３に対してスライド移動する。
【０００６】
図９及び図１０を合わせて参照する。シャーシに取り付けた（図８及び図９にはシャーシの取付部材１０１のみを表示）スライドレールキット１０２をラックに取り付ける際、シャーシ及びシャーシ内部の電子部品には一定の重量を有する。そのため、もしその重量が過重した場合、ラック上に取り付けられているスライドレールキット１０２のボール保持器１０５が変形し、ボール保持器１０５の側部１０７が横方向Ｆ１（取付部材１０１方向）に傾斜する可能性がある（図８参照）。これにより、第二レール１０４を初期位置（図７参照）から縦方向Ｆ２に、第一レール１０３に対応して引っ張り出す時（図９参照）、第二レール１０４に取り付けた少なくとも一つの取付部材１０１がボール保持器１０５の側部１０７の端部１０８にぶつかってボール保持器１０５が変形し、第二レール１０４は第一レール１０３に対してスムーズなスライド移動ができなくなり、更に、スライドレールキット１０２の損傷を引き起こす。
【先行技術文献】
【特許文献】
【０００７】
【特許文献１】米国特許第６９８８６２６号明細書
【特許文献２】米国特許第６３７９０４５号明細書
【考案の概要】
【考案が解決しようとする課題】
【０００８】
本考案は、上述の問題に鑑みてなされたものであり、二つのスライドレールがボールユニットにより相対移動する時に、シャーシの側面の取付部材が、取付誤差を許容することで、ボールユニットの側部の一端にぶつかるのを防ぐことができるスライドレールキットを提供する。
【課題を解決するための手段】
【０００９】
本考案の一態様によるスライドレールキットは、シャーシ（ｃｈａｓｓｉｓ）の側面をラック（ｒａｃｋ）に取り付けるのに用いられ、シャーシ（ｃｈａｓｓｉｓ）の側面に少なくとも一つの取付部材が配置されている。スライドレールキットは、第一レール、第二レール、及びボールユニットを有する。第一レールは上壁、上壁に対応する下壁、及び上壁と下壁を連結する側壁を有し、上壁、下壁、及び側壁により縦方向通路が形成される。第二レールはスライド可能であるように第一レールの縦方向通路に連結する。第二レールは、上壁、上壁に対応する下壁、及び上壁と下壁を連結する側壁を有し、側壁には少なくとも一つの取付部を設ける。取付部はシャーシの側面の少なくとも一つの取付部材を取り付けるのに用いられる。ボールユニットは、ボール保持器及びボール保持器に配置されている複数のボールを有する。ボールユニットは可動するように第一レールと第二レールの間に取り付ける。ボール保持器は側部を有し、側部は第一レールの側壁と第二レールの側壁の間に位置する。第二レールの側壁は更に凸出部を有する。凸出部はボール保持器の側部を押圧するのに用いられ、これにより、ボール保持器の側部は、第一レールの側壁に近づく。
【００１０】
最も好ましくは、第二レールの側壁の凸出部には斜面及び支持面を有する。第二レールが第一レールに対応して縦方向に引っ張り出されて移動する時、斜面はボール保持器の側部をガイドするのに用いられる。これにより、支持面によってボール保持器の側部は押圧される。
【００１１】
最も好ましくは、少なくとも一つの取付部材は、第一端部と、第一端部に対応する第二端部とを有する。第一端部は、シャーシの側面に連結する。第二端部は、第二レールの側壁の取付部に取り付けられる。第二端部が第二レールの側壁の取付部に取り付けられる時、第二端部は、第二レールの側壁と第一レールの側壁の間に位置する。第二レールの側壁の壁面と少なくとも一つの取付部材の第二端部の表面の間には第一距離が形成され、第二レールの側壁の壁面と凸出部の支持面の間には第二距離が形成される。尚、第二距離は第一距離を超える長さとする。支持面は、ボール保持器の側部を圧するのに用いられる。
【００１２】
最も好ましくは、スライドレールキットには更に第三レールを備える。第三レールは上壁、上壁に対応する下壁、及び上壁と下壁を連結する側壁を有し、上壁、下壁、及び側壁により縦方向通路が形成される。そのうち、第一レールは第三レールの縦方向通路にスライド可能なように連結される。
【００１３】
本考案の別の態様によるスライドレールキットは、第一レール、第二レール、及びボールユニットを有する。第一レールは上壁、上壁に対応する下壁、及び上壁と下壁を連結する側壁を有し、上壁、下壁、及び側壁により縦方向通路が形成される。第二レールはスライド可能であるように第一レールの縦方向通路に連結する。第二レールは、上壁、上壁に対応する下壁、及び上壁と下壁を連結する側壁を有し、側壁には取付部を設ける。ボールユニットは、ボール保持器及びボール保持器に配置されている複数のボールを有する。ボールユニットは可動するように第一レールと第二レールの間に取り付ける。ボール保持器は側部を有し、側部は第一レールの側壁と第二レールの側壁の間に位置する。第二レールの側壁は更に凸出部を有する。凸出部はボール保持器の側部を押圧するのに用いられ、これにより、ボール保持器の側部は、第一レールの側壁に近づく。
【００１４】
最も好ましくは、第二レールの側壁の凸出部には斜面及び支持面を有する。第二レールが第一レールに対応して縦方向に引っ張り出されて移動する時、斜面はボール保持器の側部をガイドするのに用いられる。これにより、支持面によってボール保持器の側部は押圧される。
【００１５】
最も好ましくは、スライドレールキットには更に第三レールを備える。第三レールは上壁、上壁に対応する下壁、及び上壁と下壁を連結する側壁を有し、上壁、下壁、及び側壁により縦方向通路が形成される。そのうち、第一レールは第三レールの縦方向通路にスライド可能なように連結される。
【００１６】
本考案の別の態様によるスライドレールキットは、シャーシの側面をラックに取り付けるのに用いられる。シャーシには少なくとも一つの取付部材が配置されている。
スライドレールキットは、第一レール、第二レール、及びボールユニットを有する。第一レールには縦方向の延伸本体を備え、第二レールにも縦方向の延伸本体を備える。第二レールはスライド可能であるように第一レールの縦方向の延伸本体に連結する。ボールユニットは、ボール保持器及びボール保持器に配置されている複数のボールを有する。ボールユニットは可動するように第一レールの縦方向の延伸本体と第二レールの縦方向の延伸本体の間に取り付ける。これにより、第一レールと第二レールはボールが相互に接触することにより、対応するスライド移動を行なうことができる。ボール保持器は側部を有し、側部は第一レールの縦方向の延伸本体と第二レールの縦方向の延伸本体の間に位置する。第二レールの縦方向の延伸本体は更に凸出部を有する。凸出部はボール保持器の側部を押圧するのに用いられ、これにより、ボール保持器の側部は、第一レールの縦方向の延伸本体に近づく。少なくとも一つの取付部材は、第一端部と、第一端部に対応する第二端部とを有する。第一端部は、シャーシの側面に連結する。第二端部は、第二レールの側壁の縦方向の延伸本体に取り付けられる。第二端部が第二レールの縦方向の延伸本体に取り付けられる時、第二端部は、第二レールの縦方向の延伸本体と第一レールの縦方向の延伸本体の間に位置する。第二レールの縦方向の延伸本体の壁面と少なくとも一つの取付部材の第二端部の表面の間には横方向の第一距離が形成され、第二レールの縦方向の延伸本体の壁面と凸出部の支持面の間には横方向の第二距離が形成される。尚、第二距離は第一距離を超える長さとする。
【００１７】
本考案のスライドレールキットは、二つのスライドレールがボールユニットにより相対移動する時、シャーシの側面の取付部材が取付誤差を許容することにより、ボールユニットの側部の一端にぶつかるのを防ぐ効果を有する。
【図面の簡単な説明】
【００１８】
【図１】本考案の一実施形態によるスライドレールキットを用いてシャーシをラックに取り付けることを示す図である。
【図２】本考案の一実施形態によるスライドレールキットを示す斜視図である。
【図３】本考案の一実施形態によるスライドレールキットを示す平面図である。
【図４】本考案の一実施形態によるスライドレールキットの第二レールの側壁に凸出部が設けられていることを示す斜視図である。
【図５】本考案の一実施形態によるスライドレールキットの第二レールを第一レールに対してスライド移動させる場合を示す断面図である。
【図６】本考案の一実施形態によるスライドレールキットの第二レールを第一レールに対してスライド移動させる場合を示す断面図である。
【図７】本考案の一実施形態によるスライドレールキットの第二レールを第一レールに対してスライド移動させる場合を示す断面図である。
【図８】従来のスライドレールキットを示す斜視図である。
【図９】従来のスライドレールキットを示す模式図である。
【図１０】従来のスライドレールキットを示す斜視図である。
【考案を実施するための形態】
【００１９】
（一実施形態）
本考案の一実施形態によるスライドレールキットを図面に基づいて説明する。
図１に示す通り、一対のスライドレールキット１０をシャーシ（ｃｈａｓｓｉｓ）１２の両側面１４に取り付ける。シャーシ１２は、一対のスライドレールキット１０を用いてラック（ｒａｃｋ）１６に取り付ける。好ましい実施形態において、シャーシ１２のいずれか一方の側面１４に少なくとも一つの取付部材１８を配置する。
【００２０】
図２に示すとおり、スライドレールキット１０は第一レール２０、第二レール２２、及びボールユニット２６を有する。最も好ましくは、スライドレールキット１０には更に第三レール２４を備え、三段階式のスライドレールの形態を構成する。第一レール２０を中レール、第二レール２２を内レール、第三レール２４を外レールとするが、これに制限されないものとする。第一レール２０、第二レール２２、第三レール２４のそれぞれには縦方向の延伸本体を備える。
【００２１】
図３に示すとおり、第一レール２０は上壁２８、上壁２８に対応する下壁３０、及び上壁２８と下壁３０を連結する側壁３２を有する。第一レール２０の上壁２８、下壁３０、及び側壁３２により縦方向通路３４が形成される。
【００２２】
第二レール２２はスライド可能であるように第一レール２０の縦方向通路３４に連結する。第二レール２２は、上壁３６、上壁３６に対応する下壁３８、及び上壁３６と下壁３８を連結する側壁４０を有する。側壁４０には少なくとも一つの取付部４２を設ける。取付部４２はシャーシ１２の側面１４の少なくとも一つの取付部材１８を取り付けるのに用いられる。（シャーシ１２の取付部材１８のみを表示）。
【００２３】
第三レール２４は、上壁５２、上壁５２に対応する下壁５４、及び上壁５２と下壁５４を連結する側壁５６を有する。第三レール２４の上壁５２、下壁５４、及び側壁５６によって縦方向通路５８が形成される。第一レール２０は、スライド可能であるように第三レール２４の縦方向通路５８に連結される。また、図１に示すとおり、更に備えられる一対のブラケット６０をそれぞれ第三レール２４の前方位置と後方位置に取り付け、各ブラケット６０は、少なくとも一つの固定部材６２を組み合わせてラック１６に固定され、これにより、スライドレールキット１０はラック１６に固定される。
【００２４】
ボールユニット２６は、ボール保持器（ｂａｌｌ  ｒｅｔａｉｎｅｒ）４４及びボール保持器４４に配置する複数のボール４６を有する。ボールユニット２６は可動するように第一レール２０と第二レール２２の間に取り付けると、ボール４６は第一レール２０と第二レール２２の間に位置される。これにより、第一レール２０と第二レール２２はボール４６の働きによって対応してスライド移動することが簡単になる。また、ボール保持器４４は側部４８を有し、側部４８は第一レール２０の側壁３２と第二レール２２の側壁４０の間に位置する。
【００２５】
図４に示すとおり、第二レール２２の側壁４０は更に凸出部５０を有する。凸出部５０はボール保持器４４の側部４８を押圧するのに用いられ、これにより、ボール保持器４４の側部４８は、第一レール２０の側壁３２に近づく。最も好ましくは、凸出部５０には斜面６４及び支持面６６を有する。
【００２６】
詳細すると、シャーシ１２の側面１４の少なくとも一つの取付部材１８（シャーシ１２の取付部材１８だけを表示）は、第二レール２２の側壁４０の取付部４２に取り付けられ、制御片４３は第二レール２２の側壁４０に取り付けられる。取付部材１８は第二レール２２の側壁４０の取付部４２に取り付けられた後、制御片４３によって支えられて停止する。これにより、シャーシ１２はスライドレールキット１０の第二レール２２に設けられ固定される。図１に示すとおり、第三レール２４に組み合わせたブラケット６０によって、シャーシ１２に取り付けたスライドレールキット１０をラック１６に取り付ける。
【００２７】
図５、図６、及び図７に示すとおり、具体的には、シャーシ１２に取り付けられた第二レール２２が第一レール２０に対応して縦方向Ｆに引っ張りだされて移動する時、凸出部５０の斜面６４はボール保持器４４の側部４８をガイドするのに用いられる。凸出部５０の支持面６６がボール保持器４４の側部４８を押圧するため、ボール保持器４４の側部４８は、第一レール２０の側壁３２の方向に近づく。これにより、取付部材１８が第二レール２２の縦方向Ｆ（図５参照）に移動する時、取付部材１８の規格、サイズが原因で、或いはシャーシの過重によりボール保持器４４の側部４８が傾斜する等の問題を防ぐことができる。また、ボール保持器４４の側部４８にぶつかる端部６８によって、ボール保持器４４が変形を起こし、スライドレールキット１０の対応するスライドレール（第一レール２０及び第二レール２２）がスムーズにスライドできなくなるのを防ぐことができる。
【００２８】
詳細すると、少なくとも一つの取付部材１８は、第一端部７０と、第一端部７０に対応する第二端部７２とを有する。第一端部７０は、シャーシ１２の側面１４に連結する。第二端部７２は、第二レール２２の側壁４０の取付部４２に横向きに取り付ける。また、第一端部７０と第二端部７２は円柱体とし、尚且つ第二端部７２の直径は、第一端部７０の直径よりも大きいが、これに制限されないものとする。
【００２９】
第二端部７２が第二レール２２の側壁４０の取付部４２に横向きに取り付けられる時、第二端部７２の位置は、前述の制御片４３によって取付部４２に限定される。第二レール２２の側壁４０の壁面７４（第一レール２０に向き合う壁面）と少なくとも一つの取付部材１８の第二端部７２の表面７６の間には、横向きの第一距離Ｌ１が形成され、第二レール２２の側壁４０の壁面７４と凸出部５０の支持面６６の間には横向きの第二距離Ｌ２が形成される。尚、第二距離Ｌ２は第一距離Ｌ１を超える長さとする。
【００３０】
以上により、取付部材１８が第二レール２２の縦方向Ｆの縦方向Ｆ（図５参照）にスライドする時、取付部材１８の規格、サイズが原因で、或いはシャーシの過重によりボール保持器４４の側部４８が傾斜する等の問題を防ぐことができる。また、ボール保持器４４の側部４８にぶつかる端部６８によって、ボール保持器４４が変形を起こし、スライドレールキット１０に対応するスライドレール（第一レール２０及び第二レール２２）がスムーズにスライドできなくなるのを防ぐことができる。
【００３１】
本考案の実施形態は前述したとおりであるが、前述は本考案に制約を加えるものではない。よって、本考案の保護される範囲は、添付した特許登録請求の範囲を基準とすることをここに明記する。
【符号の説明】
【００３２】
１０１      取付部材、
１０２      スライドレールキット、
１０３      第一レール、
１０４      第二レール、
１０５      ボール保持器、
１０６      ボール、
１０７      側部、
１０８      端部、
Ｆ１      横方向、
Ｆ２      縦方向、
１０      スライドレールキット、
１２      シャーシ、
１４      側面、
１６      ラック、
１８      取付部材、
２０      第一レール、
２２      第二レール、
２４      第三レール、
２６      ボールユニット、
２８      上壁、
３０      下壁、
３２      側壁、
３４      縦方向通路、
３６      上壁、
３８      下壁、
４０      側壁、
４２      取付部、
４３      制御片、
４４      ボール保持器、
４６      ボール、
４８      側部、
５０      凸出部、
５２      上壁、
５４      下壁、
５６      側壁、
５８      縦方向通路、
６０      ブラケット、
６２      固定部材、
６４      斜面、
６６      支持面、
６８      端部、
７０      第一端部、
７２      第二端部、
７４      壁面、
７６      表面、
Ｆ      縦方向、
Ｌ１      第一距離、
Ｌ２      第二距離。
【図１】
0003191407.tif 000003
【図２】
0003191407.tif 000004
【図３】
0003191407.tif 000005
【図４】
0003191407.tif 000006
【図５】
0003191407.tif 000007
【図６】
0003191407.tif 000008
【図７】
0003191407.tif 000009
【図８】
0003191407.tif 000010
【図９】
0003191407.tif 000011
【図１０】
0003191407.tif 000012